(57)【要約】      （修正有）【課題】２頁撮影が可能で、折畳んで携帯、収納を可とする携帯型書籍撮影用具を提供する。【解決手段】本携帯型書籍撮影用具２は本体と複数の枢接部材を包含し、該本体は折り畳みできる第１載置部と第２載置部を具え、該第１載置部及び第２載置部の間に展開角度を有し、該第１載置部と第２載置部の一側に第１固定部２１３及び第２固定部２１４が枢接されている。該枢接部材はそれぞれ第１載置部と第２載置部の接続部分、第１載置部と第１固定部の接続部分、第２載置部と第２固定部の接続部分にそれぞれ設置される。本携帯型書籍撮影用具は２頁撮影が可能であるほか、折り畳んで携帯及び収納することができる。【選択図】図４
0003153541.tif 000002
【実用新案登録請求の範囲】
【請求項１】
携帯型書籍撮影用具において、
本体であって、相互に開閉可能な第１載置部と第２載置部を具え、該第１載置部及び第２載置部の間に展開角度を有し、該第１載置部と第２載置部の一側に第１固定部及び第２固定部が枢接された、上記本体と、
複数の枢接部材であって、該第１載置部と該第２載置部の接続部分、該第１載置部と該第１固定部の接続部分、該第２載置部と該第２固定部の接続部分にそれぞれ設置された、上記枢接部材と、
を包含したことを特徴とする、携帯型書籍撮影用具。
【請求項２】
請求項１記載の携帯型書籍撮影用具において、該展開角度が１１０°から１２０°とされたことを特徴とする、携帯型書籍撮影用具。
【請求項３】
請求項１記載の携帯型書籍撮影用具において、該第１固定部と該第２固定部にそれぞれ第１位置決め溝と第２位置決め溝が設けられたことを特徴とする、携帯型書籍撮影用具。
【請求項４】
請求項１又は請求項２記載の携帯型書籍撮影用具において、該第１載置部と該第２載置部の接続部分の表面にペーパーホルダーが設けられたことを特徴とする、携帯型書籍撮影用具。
【請求項５】
請求項１記載の携帯型書籍撮影用具において、該第１載置部と該第２載置部は折り畳んで重ね合わせられることを特徴とする、携帯型書籍撮影用具。
【請求項６】
請求項１記載の携帯型書籍撮影用具において、該第１載置部と該第１固定部は折り畳んで重ね合わせられることを特徴とする、携帯型書籍撮影用具。
【請求項７】
請求項１記載の携帯型書籍撮影用具において、該第２載置部と該第２固定部は折り畳んで重ね合わせられることを特徴とする、携帯型書籍撮影用具。
【考案の詳細な説明】
【技術分野】
【０００１】
本考案は一種の書籍撮影用具に係り、特に一種の２頁撮影が可能であるほか、折り畳んで携帯及び収納できる携帯型書籍撮影用具に関する。
【背景技術】
【０００２】
各種の書籍或いは雑誌の内容を撮影して電子ファイルとなすことにより、その内容を永久保存或いは場所を取らずに収蔵することができるため、この方法はすでに一般的になっている。書籍撮影用の装置或いは構造の善し悪しは電子書籍の品質に影響し、撮影後のデータを明晰にするためには、書籍撮影に適合する撮影工具が必要である。
【０００３】
周知の書籍撮影用具は図１の一般的な書籍撮影用具の立体図に示されるように、周知の書籍撮影用具１は載置プラットフォーム１１と該載置プラットフォーム１１の一側に設けられた固定ホルダ１２を包含し、該載置プラットフォーム１１は書籍或いは雑誌等の被撮影物を設置するのに供され、該固定ホルダ１２には固定部材１２１が設けられ、固定部材１２１はカメラの設置に供され、カメラのレンズを載置プラットフォーム１１に向けて、載置プラットフォーム１１上の雑誌或いは書籍を撮影することができる。
【０００４】
書籍或いは雑誌は装丁されているため、平らに頁を開いて載置プラットフォーム１１上に置くことはできず、装丁部分が円弧状を呈するため、撮影後の文字が変形或いは湾曲し、時には装丁部分付近のデータを順調に撮影することができない。ゆえに、周知の書籍撮影用具は順調に正確に装丁された書籍或いは雑誌を撮影することができず、雑誌或いは書籍の装丁を解いて逐一撮影しなければならなくなり、前処理作業時間が増すだけでなく、撮影に不便であった。並びに周知の固定ホルダは一台のカメラしか取付けられず、一度に一面（１頁）のデータしか撮影できず、２面撮影ができなかった。このため、撮影時間が延長されて、実用性が低下した。さらに、周知の書籍撮影用具１の載置プラットフォーム１１及び固定ホルダ１２は折り畳めず、固定ホルダ１２の高さも非常に高く、ゆえに外出時に携行するのに不便であり、且つ不使用時には有効に体積を縮小して収納できず、収納に場所をとった。
【考案の概要】
【考案が解決しようとする課題】
【０００５】
上述の周知の技術の欠点を鑑み、本考案の目的は、展開角度を有し、撮影するデータの変形或いは湾曲を防止できる携帯型書籍撮影用具を提供することとする。
【０００６】
本考案のもう一つの目的は、同時に２面（２頁）撮影が可能な携帯型書籍撮影用具を提供することとする。
【０００７】
本考案のまた別の目的は、折り畳んで体積を縮小して携行に便利とできる携帯型書籍撮影用具を提供することとする。
【０００８】
本考案のさらにまた別の目的は、構造が簡単な携帯型書籍撮影用具を提供することとする。
【課題を解決するための手段】
【０００９】
本考案の携帯型書籍撮影用具は本体と複数の枢接部材を包含し、該本体は相互に折り畳める第１載置部と第２載置部を具え、該第１載置部及び第２載置部の間に展開角度を有し、該第１載置部と第２載置部の一側に第１固定部及び第２固定部が枢接されている。該枢接部材はそれぞれ第１載置部と第２載置部の接続部分、第１載置部と第１固定部の接続部分、第２載置部と第２固定部の接続部分にそれぞれ設置される。
【００１０】
好ましい実施例において、該展開角度は１１０°から１２０°とされる。第１固定部と第２固定部には第１位置決め溝と第２位置決め溝が設けられる。該第１載置部と第２載置部の接続部分の表面にペーパーホルダが設けられる。
【考案の効果】
【００１１】
周知の技術と比較すると、本考案の携帯型書籍撮影用具は相互に開閉できる第１載置部と第２載置部を具え、装丁された雑誌或いは書籍を開いて第１載置部と第２載置部の上に置くことができ、且つ展開角度は１１０°から１２０°とされ、雑誌或いは書籍を置いた後に、頁が最も平坦な状態を維持でき、これにより撮影後のデータ（文字、イメージ）の変形或いは湾曲を防止でき、装丁した書籍或いは雑誌を装丁を解くことなく直接撮影できる。このほか、該第１固定部と第２固定部にそれぞれカメラを設置でき、第１固定部に設置したカメラで第２載置部上方の頁を撮影でき、第２固定部に設置したカメラで第１載置部上方の頁を撮影でき、ゆえに、同時に２面の撮影ができ、撮影時間を短縮できる。さらに、第１載置部及び第２載置部の接続部分にペーパーホルダーが設置され、雑誌或いは書籍の頁を押さえることができ、撮影頁がめくれないようにし、正確に撮影することができる。且つ第１載置部、第２載置部、第１固定部及び第２固定部はいずれも相互に折り畳め、ゆえに不使用時に相互に折り畳んで体積を縮小でき、収納及び外出時の携行に便利である。
【図面の簡単な説明】
【００１２】
【図１】周知の書籍撮影用具の立体図である。
【図２】本考案の携帯型書籍撮影用具の実施例の立体図である。
【図３】本考案の携帯型書籍撮影用具の実施例の側面図である。
【図４】本考案の携帯型書籍撮影用具の好ましい実施例の使用状態参考図である。
【図５】本考案の携帯型書籍撮影用具の折り畳み後の立体図である。
【考案を実施するための形態】
【００１３】
図２及び図３は本考案の携帯型書籍撮影用具の実施例の立体図及び側面図である。これらの図に示されるように、本考案の携帯型書籍撮影用具２は本体２１と複数の枢接部材２２を包含する。
【００１４】
本体２１は相互に枢接されて展開及び折り畳み可能な第１載置部２１１及び第２載置部２１２を具え、該第１載置部２１１の外側に第１固定部２１３が枢接され、該第２載置部２１２の外側に第２固定部２１４が枢接され、該第１載置部２１１と該第２載置部２１２は展開角度を有し、該展開角度Ａは１１０°から１２０°とされ、第１固定部２１３と第２固定部２１４は相互に並行に設置され、該第１固定部２１３と第２固定部２１４の中央に第１位置決め溝２１５及び第２位置決め溝２１６が設けられ、該第１位置決め溝２１５と第２位置決め溝２１６はカメラ（本図には表示せず）の設置に供される。並びに、第１載置部２１１と第２載置部２１２の接続部分にはペーパーホルダー２３が設置され、該ペーパーホルダー２３は透明材質とされ、該ペーパーホルダー２３が撮影する雑誌の隣り合う２頁の中央を押さえることで、撮影時の頁のめくれを防止できる。本実施例では、第１固定部２１３と第２固定部２１４は硬質平板構造とされ、透明或いは不透明材質とされ得るが、それに限定されるわけではなく、その他の実施例においてはその他の同じ効果を有する構造とされ得る。
【００１５】
枢接部材２２は円管型構造とされ、第１載置部２１１と第２載置部２１２の接続部分、第１載置部２１１と第１固定部２１３の接続部分、第２載置部２１２と第２固定部２１４の接続部分にそれぞれ設置され、これにより第１載置部２１１と第２載置部２１２が折り畳み可能とされ、且つ第１載置部２１１と第１固定部２１３が相互に折り畳み可能とされ、第２載置部２１２と第２固定部２１４が相互に折り畳み可能とされる。
【００１６】
図４は本考案の携帯型書籍撮影用具の好ましい実施例の使用状態参考図である。図示されるように、本考案の携帯型書籍撮影用具２は実際に使用する時、雑誌４或いは書籍を第１載置部２１１及び第２載置部２１２上に開いた状態で設置し、２台のカメラ３を固定部材３１とホルダ３２により該携帯型書籍撮影用具２の第１固定部２１３と第２固定部２１４に設置し、２台のカメラ３のレンズ３０を第１載置部２１１と第２載置部２１２上の雑誌或いは書籍の頁面に向けて、その頁面を直接撮影でき、並びに２台のカメラ３の架設により同時に或いは連続して２つの異なる頁面を撮影でき、これにより撮影の時間を短縮できる。
【００１７】
図５は本考案の携帯型書籍撮影用具の折り畳み後の立体図である。図示されるように、本考案の携帯型書籍撮影用具２は不使用時或いは外出時に携行する際には、該第１載置部２１１及び第２載置部２１２を相互に折り畳み、該第１載置部２１１と第１固定部２１３を相互に折り畳み、該第２載置部２１２と第２固定部２１４を相互に折り畳むことで、携帯型書籍撮影用具２の体積を縮小して、場所をとらずに収納或いは携行できる。
【００１８】
周知の技術と比較すると、本考案の携帯型書籍撮影用具は第１載置部と第２載置部が１１０°から１２０°の展開角度を有し、装丁された書籍或いは雑誌を開いて該第１載置部と第２載置部の上に設置でき、並びに頁の最も平坦な状態を達成して撮影する文字或いはイメージの歪み或いは変形を発生させない。且つ第１固定部と第２固定部のいずれにもカメラを設置でき、ゆえに２頁撮影が行え、撮影の時間を短縮できる。このほか、撮影する雑誌の頁面と頁面の接続部分にペーパーホルダーを接地でき、これにより撮影する頁面がめくれないようにでき、撮影を順調に進行できる。さらに、外出使用或いは収納時に、携帯型書籍撮影用具の各部分を相互に折り畳んで全体体積を縮小でき、携帯使用に便利であり、ゆえに、全体の実用性が高められている。
【符号の説明】
【００１９】
１  書籍撮影用具
１１  載置プラットフォーム
１２  固定ホルダ
１２１  固定部材
２  携帯型書籍撮影用具
２１  本体
２１１  第１載置部
２１２  第２載置部
２１３  第１固定部
２１４  第２固定部
２１５  第１位置決め溝
２１６  第２位置決め溝
２２  枢接部材
２３  ペーパーホルダー
３  カメラ
３０  レンズ
３１  固定部材
３２  ホルダ
４  雑誌
【図１】
0003153541.tif 000003
【図２】
0003153541.tif 000004
【図３】
0003153541.tif 000005
【図４】
0003153541.tif 000006
【図５】
0003153541.tif 000007